(57)【要約】【課題】  制御基板を交換する場合でも、電動施錠装置の継続使用を可能にして、改装費用を削減できる遊技機を提供する。【解決手段】  この遊技機は、前面扉を機枠に施錠する電動シリンダ錠１０と、電動シリンダ錠１０を制御するための制御信号を出力する制御基板９と、制御信号を制御基板９から電動シリンダ錠１０に中継する信号中継装置１１とを備える。信号中継装置１１に、制御基板９の機種に応じて異なる複数種類の制御信号を認識する信号認識部２０と、認識した制御信号と異なる独自の信号で電動シリンダ錠１０を制御する制御部２１と、電動シリンダ錠１０の動作情報を遊技ホールの中央管理装置に送信する通信部２５とを設ける。【選択図】        図２
2007244446.tif 000002
【特許請求の範囲】
【請求項１】
前面扉を機枠に施錠する電動施錠装置と、電動施錠装置を制御するための制御信号を出力する制御基板と、制御信号を制御基板から電動施錠装置に中継する信号中継装置とを備え、信号中継装置に制御基板の機種に応じて異なる複数種類の制御信号を認識する信号認識部と、認識した制御信号に応答して電動施錠装置を制御する制御部とを設けたことを特徴とする遊技機。
【請求項２】
前記制御部が制御信号と異なる独自の信号で電動施錠装置を制御することを特徴とする請求項１記載の遊技機。
【請求項３】
前記信号中継装置に電動施錠装置と電源との間の回路を開閉するスイッチと、スイッチを制御部の指令に基づいて駆動するスイッチ駆動部とを設けたことを特徴とする請求項１又は２記載の遊技機。
【請求項４】
前記信号中継装置に電動施錠装置の動作情報を遊技ホールの中央管理装置に送信する通信部を設けたことを特徴とする請求項１，２又は３記載の遊技機。
【発明の詳細な説明】
【技術分野】
【０００１】
本発明は、前面扉の施錠に電動施錠装置を用いたパチンコ機、スロットマシン、パチスロ機等の遊技機に関する。
【背景技術】
【０００２】
従来、図６に示すように、遊技盤５１を備えた前面扉５２を電動施錠装置５３で機枠５４に施錠する遊技機（パチンコ機を図示）が知られている。特許文献１には、呼出ランプユニット５５に設けられた制御基板５６がリモコン５７からの解錠信号を受信し、電動施錠装置５３に解錠指令信号を出力する遊技機が記載されている。特許文献２には、電動施錠装置５３を遊技盤５１に設けた主制御基板５８からの制御信号によって制御する遊技機が記載されている。
【特許文献１】特開２００６−００６４０４号公報
【特許文献２】特開２００３−１１１９４２号公報
【発明の開示】
【発明が解決しようとする課題】
【０００３】
ところが、従来の遊技機によると、電動施錠装置５３が遊技プログラムに連動する制御基板５６，５８からの制御信号によって制御されるので、遊技盤５１や呼出ランプユニット５５と一緒に制御基板５６，５８を交換した場合に、電動施錠装置５３が動作しなくなることがあった。このため、遊技機の改装に際し、制御基板５６，５８のみならず電動施錠装置５３までも交換する必要があり、たいへん不経済であった。
【０００４】
本発明の目的は、上記課題を解決し、制御基板を交換した場合でも、電動施錠装置の継続使用を可能にし、改装費用を削減できる遊技機を提供することにある。
【課題を解決するための手段】
【０００５】
上記の課題を解決するために、本発明の遊技機は、前面扉を機枠に施錠する電動施錠装置と、電動施錠装置を制御するための制御信号を出力する制御基板と、制御信号を制御基板から電動施錠装置に中継する信号中継装置とを備え、信号中継装置に制御基板の機種に応じて異なる複数種類の制御信号を認識する信号認識部と、認識した制御信号に応答して電動施錠装置を制御する制御部とを設けたことを特徴とする。
【０００６】
ここで、電動施錠装置には次の装置を採用できる。
（１）施錠カムとカム駆動モータとを備えた電動シリンダ錠
（２）施錠ワイヤとワイヤ巻取モータとを備えた電動ワイヤロック装置
（３）電動シリンダ錠と電動ワイヤロック装置の両方を備えた電動施錠装置
【０００７】
制御基板には次の基板を採用できる。
（４）遊技機の呼出ランプユニットに設けられた制御基板
（５）遊技機の遊技盤に設けられた主制御基板
（６）遊技ホールの中央管理装置に設けられた集中制御基板
【０００８】
制御信号には次の信号を採用できる。
（７）制御基板から無線（赤外線、音波、電波等）で出力される制御信号
（８）制御基板から有線（信号線等）を介して出力される制御信号
（９）電動施錠装置の解錠指令を含む制御信号
（１０）電動施錠装置の解錠指令と施錠指令の両方を含む制御信号
（１１）遊技機ごとに異なるセキュリティコード又はＩＤコードを含む制御信号
（１２）複数の遊技機に共通するセキュリティコード又はＩＤコードを含む制御信号
（１３）遊技ホール全体の遊技機に共通するセキュリティコード又はＩＤコードを含む制御信号
【０００９】
信号中継装置としては、次の装置を採用できる。
（１４）制御基板に無線で接続された信号中継装置
（１５）制御基板に有線で接続された信号中継装置
（１６）遊技機ごとに別々に設置された信号中継装置
（１７）複数の遊技機（グループ化された遊技機）に共通して設置された信号中継装置
【００１０】
信号認識部としては、次の手段を採用できる。
（１８）複数種類の制御信号を学習又は複製（コピー）して認識する手段
（１９）複数種類の制御信号を予め記憶する手段
（２０）複数種類の制御信号を更新可能に記憶する手段
（２１）予め記憶した制御信号以外の入力信号を不正信号として識別する手段
【００１１】
制御部としては、次の手段を採用できる。
（２２）制御信号と異なる独自の信号で電動施錠装置を制御する手段
（２３）制御信号と異なる独自のパルスパターンを含む信号で電動施錠装置を制御する手段
（２４）制御信号と異なる独自のセキュリティコード又はＩＤコードを含む信号で電動施錠装置を制御する手段
【００１２】
さらに、信号中継装置に次の手段を追加することも可能である。
（２５）電動施錠装置と電源との間の回路を開閉するスイッチ
（２６）スイッチを制御部の指令に基づいて駆動するスイッチ駆動部
（２７）電動施錠装置の動作情報を遊技ホールの中央管理装置に送信する通信部
【００１３】
通信部には次の手段を設けることができる。
（２８）電動施錠装置の解錠日時、回数等の管理情報を中央管理装置に送信する手段
（２９）信号認識部が不正信号を認識したときに、中央管理装置に警報信号を送信する手段
（３０）電動施錠装置が解錠動作したときに、中央管理装置に解錠報知信号を送信する手段
（３１）信号認識部の記憶情報を更新するための指令を中央管理装置から受信する手段
【発明の効果】
【００１４】
本発明の遊技機によれば、信号中継装置の信号認識部が複数種類の制御信号を認識し、制御部が制御信号に応答して電動施錠装置を制御するので、制御基板を他の機種に取り替えた場合でも、電動施錠装置を問題なく動作させることができる。従って、遊技機の改装にあたり、電動施錠装置を継続的に使用でき、改装費用を最小限に抑えることができるという効果がある。また、制御部が制御信号と異なる独自の信号で電動施錠装置を制御するので、遊技機のセキュリティ性能を改善できる効果もある。
【発明を実施するための最良の形態】
【００１５】
以下、本発明の実施形態を図面に基づいて説明する。図１，図２は本発明の実施例１を示し、図１は電動シリンダ錠が装備されたパチンコ機の全体を示し、図２は電動シリンダ錠と呼出ランプ制御基板との間に介在する信号中継装置の回路構成を示す。図３，図４は本発明の実施例２を示し、図３は電動ワイヤロック装置が装備されたパチンコ機の全体を示し、図４は電動ワイヤロック装置と呼出ランプ制御基板との間に介在する信号中継装置の回路構成を示す。
【実施例１】
【００１６】
図１に示すように、パチンコ機１の機枠２には前面扉３が開閉可能に取り付けられ、前面扉３に遊技盤４とガラス扉５とが設けられている。機枠２の上部には呼出ランプユニット６が設置され、該ユニット６に呼出ランプ７と遊技情報表示器８と制御基板９とが設けられている。機枠２の一部には電動シリンダ錠１０が取り付けられ、このシリンダ錠１０によって前面扉３が機枠２に施錠されている。そして、機枠２の内側に制御基板９からの制御信号を電動シリンダ錠１０に中継する信号中継装置１１が設置されている。
【００１７】
図２に示すように、制御基板９には、遊技盤４の主制御基板や遊技ホールの中央管理装置に接続された制御部１２と、制御部１２からの指令に基づいて遊技情報表示器８を駆動する表示駆動部１３と、ホールスタッフが携帯するリモコン１４からの各種信号を受信する受信部１５と、制御部１２からの制御信号を無線又は有線で信号中継装置１１に送信する送信部１６とが設けられている。そして、受信部１５がリモコン１４から解錠信号を受信したときに、制御部１２が電動シリンダ錠１０を解錠するための制御信号を送信部１６を介し信号中継装置１１に向けて出力するように構成されている。
【００１８】
信号中継装置１１は機枠２に取り付けられる器箱１８を備え、器箱１８の内側に中継回路基板１９が格納されている。中継回路基板１９には、制御基板９の機種に応じて異なる複数種類の制御信号を認識する信号認識部２０と、認識した制御信号に応答して電動シリンダ錠１０を制御する制御部２１と、電動シリンダ錠１０と電源との間の電源回路２２を開閉するスイッチ２３と、制御部２１の指令に基づいてスイッチ２３を駆動するスイッチ駆動部２４と、電動シリンダ錠１０の動作情報を遊技ホールの中央管理装置に送信する通信部２５とが配設されている。
【００１９】
器箱１８には、制御基板９からの制御信号を入力する入力インターフェース２７と、通信部２５と中央管理装置との送受信を可能にする入出力インターフェース２８と、電源回路２２を電源に接続する電源コネクタ２９と、スイッチ２３を電動シリンダ錠１０に接続する出力コネクタ３０とが設けられている。電動シリンダ錠１０は、機枠２側の係止部（図示略）に係合する施錠カム３１と、施錠カム３１を施錠側と解錠側へ往復回動するカム駆動モータ３２とを備え、カム駆動モータ３２が信号中継装置１１の出力によって制御される。
【００２０】
信号中継装置１１の信号認識部２０は、制御基板９から入力した制御信号のパルスパターンを学習する学習回路、あるいは、メーカごとに異なる制御信号のパルスパターンを予め記憶する不揮発性メモリを備えている。制御部２１は、信号認識部２０を通過した信号を独自のパルスパターンの信号に加工し、スイッチ駆動部２４を介して電動シリンダ錠１０の解錠又は施錠を制御するように構成されている。通信部２５は、電動シリンダ錠１０の解錠日時や回数を含む管理情報、電動シリンダ錠１０が解錠動作したときの解錠報知信号、不正信号を入力したときの警報信号等を中央管理装置に送信する機能を備えている。そして、中央管理装置が、信号中継装置１１から解錠報知信号や警報信号を受信したときに、遊技機１の呼出ランプ７、警報ブザー、監視カメラ（図示略）等を動作させるようになっている。
【００２１】
上記のように構成された遊技機１によれば、信号中継装置１１の信号認識部２０が複数種類の制御信号を認識し、制御部２１が制御信号とは異なる独自の信号で電動シリンダ錠１０を制御するので、呼出ランプユニット６と一緒に制御基板９を他の機種に取り替えた場合でも、電動シリンダ錠１０を問題なく動作させることができる。このため、遊技機１の改装にあたり、電動シリンダ錠１０を交換する必要がなくなり、これを機枠２に残して継続的に使用でき、遊技ホールの改装費用を最小限に抑えることが可能となる。
【実施例２】
【００２２】
図３，図４に示すように、実施例２のパチンコ機１では、電動施錠装置としてワイヤロック装置３４が用いられている。電動ワイヤロック装置３４は、機枠２の内側に取り付けられた機構部３５と、機構部３５と前面扉３とを連結するワイヤ３６とを備えている。ワイヤ３６はドラム３７（図４参照）に巻き付けられ、ドラム３７がモータ３８によりギヤ機構３９を介して回転駆動される。そして、ワイヤ３６がドラム３７上に巻き取った状態で、前面扉３を機枠２に施錠するように構成されている。
【００２３】
モータ３８は中継回路基板１９の出力コネクタ３０に接続され、信号中継装置１１の出力によって制御される。信号中継装置１１は実施例１と同様に構成され、呼出ランプユニット６の制御基板９からの制御信号に応答し、電動ワイヤロック装置３４を独自の信号で制御する。従って、この実施例の構成によっても、制御基板９を他の機種に取り替えた場合に、電動ワイヤロック装置３４が問題なく動作するので、施錠装置の交換を不要にして、改装費を削減できる効果がある。
【００２４】
本発明は、上記実施例に限定されるものではなく、次に例示するように、発明の趣旨を逸脱しない範囲で各部の構成を適宜変更して実施することも可能である。
（イ）図２又は図４に示す信号中継装置１１をスロットマシンやパチスロ機等の各種遊技機に適用すること。
（ロ）図５に示すように、複数台の遊技機４１をグループ化し、各遊技機４１に共通の集中信号中継装置４２を遊技島の内部に設置し、集中信号中継装置４２に上記実施例と同様の信号認識部２０および制御部２１を設けるとともに、制御部２１の出力を各遊技機４１の電動施錠装置４３に分配する分配器４４を設け、一台の集中信号中継装置４２によって複数の電動施錠装置４３を一括して制御できるように構成すること。
【００２５】
（ハ）図１に示す電動シリンダ錠１０と図３に示す電動ワイヤロック装置３４との両方を装備した遊技機において、両方の電動施錠装置を信号中継装置１１又は集中信号中継装置４２によって制御すること。
（ニ）図１に示すパチンコ機１において、遊技球を発射する電動ハンドル装置４６を信号中継装置１１に接続し、信号中継装置１１が制御基板９からの制御信号に応答して電動シリンダ錠１０を制御するとともに、主制御基板４７からの制御信号に応答して電動ハンドル装置４６の使用許可又は使用禁止を制御するように構成すること。
【図面の簡単な説明】
【００２６】
【図１】本発明の実施例１を示すパチンコ機の斜視図である。
【図２】図１のパチンコ機の制御システムを示すブロック図である。
【図３】本発明の実施例２を示すパチンコ機の斜視図である。
【図４】図３のパチンコ機の制御システムを示すブロック図である。
【図５】本発明の変更例を示す集中信号中継システムのブロック図である。
【図６】従来のパチンコ機を示す斜視図である。
【符号の説明】
【００２７】
１    パチンコ機
２    機枠
３    前面扉
６    呼出ランプユニット
９    制御基板
１０    電動シリンダ錠
１１    信号中継装置
１９    中継回路基板
２０    信号認識部
２１    制御部
２５    通信部
３４    電動ワイヤロック装置
４２    集中信号中継装置
【図１】
2007244446.tif 000003
【図２】
2007244446.tif 000004
【図３】
2007244446.tif 000005
【図４】
2007244446.tif 000006
【図５】
2007244446.tif 000007
【図６】
2007244446.tif 000008